(57)【特許請求の範囲】
【請求項１】
装置本体と、
前記装置本体内に回転可能に収容され、互いに間隔を隔てて並列配置される複数の感光体と、
前記複数の感光体に接するように配置され、前記感光体の並列方向に互いに間隔を隔てて配置される第１ローラおよび第２ローラ間に張設されるエンドレスベルトと、
各感光体に対して前記エンドレスベルトを挟んで対向する位置に配置される複数の１次転写部材と、
前記第１ローラに対して前記エンドレスベルトを挟んで対向する位置に配置される２次転写部材と、
前記エンドレスベルト上に残存するトナーを回収するクリーニングユニットと、を備え、
前記２次転写部材が、前記クリーニングユニットに一体に設けられ、当該クリーニングユニットとともに前記装置本体に対して着脱可能となっており、
前記２次転写部材および前記クリーニングユニットは、前記装置本体から取り外される際に、前記エンドレスベルトから離間することを特徴とする画像形成装置。
【請求項２】
前記感光体は、前記装置本体に対して着脱可能であり、
前記感光体を前記装置本体から取り出す方向が、前記クリーニングユニットを前記装置本体から取り出す方向と逆であることを特徴とする請求項１に記載の画像形成装置。
【請求項３】
前記クリーニングユニットは、
前記エンドレスベルト上のトナーを回収する第１クリーニング部材と、
前記２次転写部材上のトナーを回収する第２クリーニング部材と、
前記第１クリーニング部材および前記第２クリーニング部材で回収したトナーを回収する廃トナー収容部と、
前記第１クリーニング部材を有する第１筐体と、
前記２次転写部材、前記第２クリーニング部材および前記廃トナー収容部を有し、前記第１筐体とは前記並列方向に間隔を空けて配置される第２筐体と、
前記第１筐体内と前記第２筐体内に連通し、前記第１筐体と前記第２筐体とを連結する連結部と、を備えることを特徴とする請求項１または請求項２に記載の画像形成装置。
【請求項４】
前記クリーニングユニットは、前記第１筐体と前記第２筐体の間に配置され、前記エンドレスベルトと前記２次転写部材とによって搬送される被転写媒体を案内する案内部を備えることを特徴とする請求項３に記載の画像形成装置。
【請求項５】
前記クリーニングユニットは、前記エンドレスベルトの回転方向における前記２次転写部材よりも下流側で、かつ、前記複数の感光体よりも上流側の部位に接触するように配置されていることを特徴とする請求項１〜請求項４のいずれか１項に記載の画像形成装置。
【請求項６】
装置本体と、
前記装置本体内に回転可能に収容され、互いに間隔を隔てて並列配置される複数の感光体と、
前記複数の感光体に接するように配置され、前記感光体の並列方向に互いに間隔を隔てて配置される第１ローラおよび第２ローラ間に張設されるエンドレスベルトと、
各感光体に対して前記エンドレスベルトを挟んで対向する位置に配置される複数の１次転写部材と、
前記第１ローラに対して前記エンドレスベルトを挟んで対向する位置に配置される２次転写部材と、
前記エンドレスベルト上に残存するトナーを回収するクリーニングユニットと、を備え、
前記２次転写部材が、前記クリーニングユニットに一体に設けられ、当該クリーニングユニットとともに前記装置本体に対して着脱可能となっており、
前記クリーニングユニットは、
前記エンドレスベルト上のトナーを回収する第１クリーニング部材と、
前記２次転写部材上のトナーを回収する第２クリーニング部材と、
前記第１クリーニング部材および前記第２クリーニング部材で回収したトナーを回収する廃トナー収容部と、
前記第１クリーニング部材を有する第１筐体と、
前記２次転写部材、前記第２クリーニング部材および前記廃トナー収容部を有し、前記第１筐体とは前記並列方向に間隔を空けて配置される第２筐体と、
前記第１筐体内と前記第２筐体内に連通し、前記第１筐体と前記第２筐体とを連結する連結部と、を備えることを特徴とする画像形成装置。
【請求項７】
前記クリーニングユニットは、前記第１筐体と前記第２筐体の間に配置され、前記エンドレスベルトと前記２次転写部材とによって搬送される被転写媒体を案内する案内部を備えることを特徴とする請求項６に記載の画像形成装置。
【請求項８】
前記第１筐体内には、前記連結部に向けてトナーを搬送するオーガが設けられ、
前記連結部内には、前記第１筐体側から前記第２筐体側にトナーを搬送する搬送ベルトが設けられていることを特徴とする請求項６または請求項７に記載の画像形成装置。
【請求項９】
前記複数の感光体を支持するとともに、前記装置本体に収容された収容位置と、前記装置本体外に引き出された引出位置とに移動可能な引出部材を備え、
前記クリーニングユニットは、前記引出部材に設けられることで、当該引出部材を介して前記装置本体に対して着脱可能となっていることを特徴とする請求項６から請求項８のいずれか１項に記載の画像形成装置。
【請求項１０】
前記クリーニングユニットは、前記引出部材に着脱可能に支持されていることを特徴とする請求項９に記載の画像形成装置。
【発明の詳細な説明】
【技術分野】
【０００１】
本発明は、中間転写方式の画像形成装置に関する。
【背景技術】
【０００２】
従来、中間転写方式の画像形成装置として、複数の感光ドラムと、複数の感光ドラムに対向して配置されるエンドレスベルトと、各感光ドラムからエンドレスベルトにトナー像を転写させる複数の１次転写ローラと、エンドレスベルト上のトナー像を用紙に転写させる２次転写ローラとを備えるものが知られている（特許文献１参照）。この技術では、２次転写ローラは装置本体に固定されており、工具などを用いない限り、取り外すことはできないように構成されている。
【先行技術文献】
【特許文献】
【０００３】
【特許文献１】特開２０１０−１６４６３３号公報
【発明の概要】
【発明が解決しようとする課題】
【０００４】
しかしながら、前述した技術では、２次転写ローラにはバイアスをかけているため、２次転写ローラの抵抗が上がってしまい、転写精度が下がってしまう問題がある。そのため、２次転写ローラを簡単に交換できる構成が望まれていた。
【０００５】
そこで、本発明は、２次転写ローラ（２次転写部材）を簡単に交換することができる画像形成装置を提供することを目的とする。
【課題を解決するための手段】
【０００６】
前記課題を解決するため、本発明に係る画像形成装置は、装置本体と、前記装置本体内に回転可能に収容され、互いに間隔を隔てて並列配置される複数の感光体と、前記複数の感光体に接するように配置され、前記感光体の並列方向に互いに間隔を隔てて配置される第１ローラおよび第２ローラ間に張設されるエンドレスベルトと、各感光体に対して前記エンドレスベルトを挟んで対向する位置に配置される複数の１次転写部材と、前記第１ローラに対して前記エンドレスベルトを挟んで対向する位置に配置される２次転写部材と、前記エンドレスベルト上に残存するトナーを回収するクリーニングユニットと、を備える。
そして、前記２次転写部材は、前記クリーニングユニットに一体に設けられ、当該クリーニングユニットとともに前記装置本体に対して着脱可能となっている。
【０００７】
この構成によれば、クリーニングユニットの交換時に２次転写部材も同時に交換することができるので、２次転写部材を簡単に交換することができる。
【０００８】
また、前記した構成において、前記クリーニングユニットは、前記エンドレスベルト上のトナーを回収する第１クリーニング部材と、前記２次転写部材上のトナーを回収する第２クリーニング部材と、を備え、前記第１クリーニング部材および前記第２クリーニング部材で回収したトナーが、共通の廃トナー収容部で回収されるように構成されているのが望ましい。
【０００９】
これによれば、エンドレスベルトと２次転写部材から別々に回収したトナーを共通の廃トナー収容部で回収するので、２つの廃トナー収容部を設ける構造に比べ、廃トナー収容部内のトナーを廃棄する作業を容易にすることができる。
【００１０】
また、前記した構成において、前記クリーニングユニットは、前記第１クリーニング部材を有する第１筐体と、前記２次転写部材、前記第２クリーニング部材および前記廃トナー収容部を有し、前記第１筐体とは前記並列方向に間隔を空けて配置される第２筐体と、前記第１筐体内と前記第２筐体内に連通し、前記第１筐体と前記第２筐体とを連結する連結部と、前記第１筐体と前記第２筐体の間に配置され、前記エンドレスベルトと前記２次転写部材とによって搬送される被転写媒体を案内する案内部と、を備えるのが望ましい。
【００１１】
これによれば、案内部によって被転写媒体を下流側に案内することができる。また、案内部付近で被転写媒体が詰まった際には、クリーニングユニットを装置本体から取り外すことでジャム処理を行うことができる。
【００１２】
また、前記した構成において、前記複数の感光体を支持するとともに、前記装置本体に収容された収容位置と、前記装置本体外に引き出された引出位置とに移動可能な引出部材を備え、前記クリーニングユニットは、前記引出部材に設けられることで、当該引出部材を介して前記装置本体に対して着脱可能となっていてもよい。
【００１３】
また、前記した構成において、前記クリーニングユニットは、前記引出部材に着脱可能に支持されるのが望ましい。
【００１４】
これによれば、クリーニングユニットが引出部材に固定される構造に比べ、クリーニングユニットを交換する際にドロワごと交換する必要がなくなり、クリーニングユニットの交換作業を容易にすることができる。
【００１５】
また、前記した構成において、前記クリーニングユニットは、前記装置本体に直接着脱可能に構成されていてもよい。
【００１６】
なお、前記した構成において、前記クリーニングユニットは、前記エンドレスベルトの回転方向における前記２次転写部材よりも下流側で、かつ、前記複数の感光体よりも上流側の部位に接触するように配置されている。
【発明の効果】
【００１７】
本発明によれば、２次転写部材を簡単に交換することができる。
【図面の簡単な説明】
【００１８】
【図１】本発明の実施形態に係るカラープリンタを示す断面図である。
【図２】クリーニングユニットを装置本体から取り外した状態を示す断面図である。
【図３】クリーニングユニットを上方から見た平面図（ａ）と、図２のＩ−Ｉ断面図（ｂ）である。
【図４】図３（ｂ）のＩＩ−ＩＩ断面図である。
【図５】ドロワにクリーニングユニットを設けた形態を示す断面図である。
【図６】ドロワを装置本体から引き出した状態を示す断面図である。
【図７】ドロワからクリーニングユニットを取り外した状態を示す断面図である。
【発明を実施するための形態】
【００１９】
次に、本発明の実施形態に係る画像形成装置の一例としてのカラープリンタについて、適宜図面を参照しながら詳細に説明する。なお、以下の説明において、方向は、カラープリンタを使用するユーザを基準にした方向で説明する。すなわち、図１における右側を「前」、左側を「後」とし、手前側を「左」、奥側を「右」とする。また、図１における上下方向を「上下」とする。
【００２０】
図１に示すように、カラープリンタ１は、装置本体１０内に、給紙ユニット３０と、スキャナユニット４０と、引出部材の一例としてのドロワ５０と、転写ユニット６０と、クリーニングユニット７０と、定着装置８０とを備えている。
【００２１】
装置本体１０の上部には、装置本体１０から排出された被転写媒体の一例としての用紙Ｓが載置される排紙トレイ１１が設けられている。また、装置本体１０の前壁には、ドロワ５０を装置本体１０外に引き出すための開口部１２が形成されるとともに、この開口部１２を開閉するためのフロントカバー１３が下端部を中心にして回動可能に設けられている。さらに、装置本体１０の後壁には、クリーニングユニット７０を装置本体１０外に取り出すための開口部１４が形成されるとともに、この開口部１４を開閉するためのリアカバー１５が下端部を中心にして回動可能に設けられている（図２参照）。
【００２２】
給紙ユニット３０は、装置本体１０内の下部に設けられ、用紙Ｓを収容する給紙トレイ３１と、給紙トレイ３１から用紙Ｓを転写位置（エンドレスベルト６３と２次転写ローラ６５との間）に搬送する給紙機構３２とを備えている。給紙トレイ３１内の用紙Ｓは、給紙機構３２によって１枚ずつ分離されて転写位置に搬送される。
【００２３】
スキャナユニット４０は、装置本体１０内の上部に設けられ、図示しないレーザ発光部、ポリゴンミラー、レンズおよび反射鏡などを備えている。そして、スキャナユニット４０では、レーザビームが図の２点鎖線で示す経路を通って、感光体の一例としての感光ドラム５１の表面上に高速走査にて照射される。
【００２４】
ドロワ５０は、エンドレスベルト６３の上方（エンドレスベルト６３とスキャナユニット４０の間）に配置され、装置本体１０に対して略前後方向に移動可能に支持され、装置本体１０の開口部１２から前側に引き出し可能となっている。詳しくは、ドロワ５０は、装置本体１０外に引き出す際に感光ドラム５１がエンドレスベルト６３から離れた状態となるように、前後方向に延びるとともに後端部が下斜め後方に延びる図示せぬレールによって支持され、装置本体１０内に収容された収容位置と、装置本体１０外に引き出された引出位置との間で移動可能となっている。
【００２５】
ドロワ５０には、４つの感光ドラム５１と、符号を省略する公知の４つの帯電器と、４つの現像カートリッジ５２とが設けられている。４つの感光ドラム５１は、前後方向に互いに間隔を隔てて並列配置され、ドロワ５０の左右の側壁５３に回転可能に支持されている。
【００２６】
現像カートリッジ５２は、ドロワ５０の左右の側壁５３に対して着脱可能に設けられ、符号を省略する公知の現像ローラ、供給ローラ、層厚規制ブレードおよびトナー収容室を備えて構成されている。
【００２７】
転写ユニット６０は、ドロワ５０の下方に設けられ、第１ローラの一例としての駆動ローラ６１と、第２ローラの一例としての従動ローラ６２と、エンドレスベルト６３と、複数の１次転写部材の一例としての４つの１次転写ローラ６４と、２次転写部材の一例としての２次転写ローラ６５とを備えている。駆動ローラ６１と従動ローラ６２は、前後方向（感光ドラム５１の並列方向）に互いに間隔を隔てて配置されている。
【００２８】
エンドレスベルト６３は、駆動ローラ６１および従動ローラ６２の間に張設され、４つの感光ドラム５１に接するように配置されている。１次転写ローラ６４は、各感光ドラム５１に対してエンドレスベルト６３を挟んで対向する位置に配置され、２次転写ローラ６５は、駆動ローラ６１に対してエンドレスベルト６３を挟んで対向する位置に配置されている。
【００２９】
このようなドロワ５０および転写ユニット６０では、まず、感光ドラム５１の表面が、帯電器により一様に帯電された後、スキャナユニット４０によって露光されることで、感光ドラム５１上に画像データに基づく静電潜像が形成される。また、トナー収容室内のトナーは、供給ローラを介して現像ローラの表面に担持される。
【００３０】
現像ローラの表面に担持されたトナーは、現像ローラから感光ドラム５１上の静電潜像に供給される。これにより、静電潜像が可視像化されて感光ドラム５１上にトナー像が形成（担持）される。各感光ドラム５１上に形成された各色のトナー像は、エンドレスベルト６３上に順次重ね合わせて転写される。そして、給紙ユニット３０から搬送された用紙Ｓが、エンドレスベルト６３と２次転写ローラ６５の間の転写位置を通過することで、エンドレスベルト６３上のトナー像が用紙Ｓに転写される。
【００３１】
クリーニングユニット７０は、エンドレスベルト６３上に残存するトナーを回収する機構であり、その一部（第１クリーニングローラ７１）が、エンドレスベルト６３の回転方向における２次転写ローラ６５よりも下流側で、かつ、複数の感光ドラム５１よりも上流側の部位に接触するように配置されている。このクリーニングユニット７０では、エンドレスベルト６３と２次転写ローラ６５の間の転写位置で用紙Ｓに転写されずにエンドレスベルト６３上に残ったトナーが主に回収される。なお、クリーニングユニット７０については、後で詳述する。
【００３２】
定着装置８０は、クリーニングユニット７０の上方に設けられ、加熱ローラ８１と、加熱ローラ８１と対向配置されて加熱ローラ８１を押圧する加圧ローラ８２とを備えている。定着装置８０では、トナー像が転写された用紙Ｓが、加熱ローラ８１と加圧ローラ８２との間を通過することでトナー像が熱定着される。そして、熱定着された用紙Ｓは、符号を省略する複数対の排出ローラによって装置本体１０の外部に排出されて排紙トレイ１１上に載置される。
【００３３】
＜クリーニングユニット７０の構造＞
次に、クリーニングユニット７０の構造について詳細に説明する。
クリーニングユニット７０は、第１クリーニング部材の一例としての第１クリーニングローラ７１と、回収ローラ７２と、第１ブレード７３と、前述した２次転写ローラ６５と、第２クリーニング部材の一例としての第２クリーニングローラ７４と、第２ブレード７５とを一体に備えている。
【００３４】
そして、このクリーニングユニット７０は、装置本体１０の左右の側壁に対して工具を用いることなく直接着脱可能に構成されている（図２参照）。すなわち、転写ユニット６０を構成する２次転写ローラ６５が、クリーニングユニット７０に一体に設けられ、当該クリーニングユニット７０とともに装置本体１０に対して着脱可能となっている。
【００３５】
これにより、クリーニングユニット７０の交換時に２次転写ローラ６５も同時に交換することができるので、２次転写ローラ６５を簡単に交換することが可能となっている。なお、後述する廃トナー収容部７６の容量を２次転写ローラ６５の劣化を考慮した量に設定しておくことで、廃トナー収容部７６が満タンになったときには２次転写ローラ６５がある程度劣化しているので、２次転写ローラ６５を無駄に交換することなく適正なタイミングで交換することができる。
【００３６】
第１クリーニングローラ７１は、エンドレスベルト６３の外周面に接触するように配置され、エンドレスベルト６３の内周面に配置されたバックアップローラ６６との間に回収バイアスが印加されることでエンドレスベルト６３上のトナーを回収している。
【００３７】
回収ローラ７２は、第１クリーニングローラ７１に摺接するローラであり、第１クリーニングローラ７１上に付着したトナーを回収している。そして、回収ローラ７２上のトナーは、当該回収ローラ７２に摺接するように配置された第１ブレード７３によって削り取られるようになっている。
【００３８】
第２クリーニングローラ７４は、２次転写ローラ６５に摺接するローラであり、２次転写ローラ６５上に付着したトナーを回収している。そして、第２クリーニングローラ７４上のトナーは、当該第２クリーニングローラ７４に摺接するように配置された第２ブレード７５によって削り取られるようになっている。
【００３９】
そして、第２ブレード７５によって削り取られたトナーは、その下方に配置される廃トナー収容部７６内に落下して回収されるとともに、第１ブレード７３によって削り取られたトナーも、第１ブレード７３の下方に配置されるオーガ７７等の搬送機構を介して廃トナー収容部７６内に回収されるようになっている。すなわち、第２ブレード７５の下方に配置される廃トナー収容部７６は、各クリーニングローラ７１，７４で別々に回収したトナーをまとめて回収する共通の収容部となっている。
【００４０】
これにより、エンドレスベルト６３と２次転写ローラ６５から別々に回収したトナーが共通の廃トナー収容部７６で回収されるので、２つの廃トナー収容部を設ける構造に比べ、廃トナー収容部７６内のトナーを廃棄する作業を容易にすることが可能となっている。
【００４１】
詳しくは、図３（ａ），（ｂ）に示すように、クリーニングユニット７０は、第１筐体７０Ａと、第１筐体７０Ａとは前後方向に間隔を空けて配置される第２筐体７０Ｂと、第１筐体７０Ａと第２筐体７０Ｂとを連結する連結部７０Ｃとを備えて構成されている。
【００４２】
第１筐体７０Ａは、左右方向に延びる略直方体状の筐体であり、その内部に、前述した第１クリーニングローラ７１、回収ローラ７２、第１ブレード７３およびオーガ７７が収容されている（図２参照）。オーガ７７は、左右方向にトナーを搬送する部材であり、第１筐体７０Ａにおける連結部７０Ｃとは反対側から連結部７０Ｃに向けてトナーを搬送するようになっている。
【００４３】
第２筐体７０Ｂは、左右方向に延びるとともに第１筐体７０Ａよりも上下方向に長い略直方体状の筐体（図２参照）であり、その内部に、前述した２次転写ローラ６５、第２クリーニングローラ７４および第２ブレード７５が収容され、その下部が前述した廃トナー収容部７６となっている。
【００４４】
連結部７０Ｃは、第１筐体７０Ａの右端部（左右方向の一方側の端部）と第２筐体７０Ｂの右端部とに連結され、各筐体７０Ａ，７０Ｂ内に連通するように構成されている。連結部７０Ｃ内には、図３（ｂ）および図４に示すように、第１筐体７０Ａ側から第２筐体７０Ｂ側にトナーを搬送するための搬送ベルト７８が設けられている。
【００４５】
搬送ベルト７８は、一対のローラ７８Ａ，７８Ｂの間に張設される無端状のベルト部７８Ｃと、ベルト部７８Ｃから外側に突出する複数の突出部７８Ｄとを有している。これにより、搬送ベルト７８が回転すると、複数の突出部７８Ｄによってトナーが掻き集められて後方に送られるようになっている。
【００４６】
なお、一対のローラ７８Ａ，７８Ｂの少なくとも一方やオーガ７７やクリーニングユニット７０内の各ローラ（例えば第１クリーニングローラ７１）は、図示せぬギヤを介して装置本体１０内のモータ等の駆動源に連結されることで、駆動力が伝達されて回転するようになっている。
【００４７】
また、図２および図３に示すように、第１筐体７０Ａと第２筐体７０Ｂの間、詳しくは第２筐体７０Ｂの前面上部には、エンドレスベルト６３と２次転写ローラ６５とによって搬送される用紙Ｓを案内する案内部の一例としての複数の案内リブＢ１が設けられている。これにより、案内リブＢ１によって用紙Ｓを下流側に案内することが可能となっている。
【００４８】
また、案内リブＢ１付近で用紙Ｓが詰まった際には、クリーニングユニット７０を装置本体１０から取り外すことでジャム処理を行うことが可能となっている。詳しくは、連結部７０ＣからＬ字に折れ曲がった第１筐体７０Ａによって用紙Ｓを引っ掛けて簡単に装置本体１０外に取り出すことが可能となっている。
【００４９】
なお、本発明は前記実施形態に限定されることなく、以下に例示するように様々な形態で利用できる。以下の説明においては、前記実施形態と略同様の構造となる部材には同一の符号を付し、その説明は省略する。
【００５０】
前記実施形態では、クリーニングユニット７０を装置本体１０に対して直接着脱可能となるように構成したが、本発明はこれに限定されるものではない。例えば、図５〜図７に示すように、クリーニングユニット７０を、ドロワ５０に設けることで、当該ドロワ５０を介して装置本体１０に対して着脱可能となるように構成してもよい。
【００５１】
具体的に、この構造では、前述したドロワ５０の左右の側壁５３をクリーニングユニット７０よりも後側まで延ばし、その各後端部を後壁部５４で連結している。そして、後壁部５４の後面には、ユーザによって把持される取手部５５が設けられている。
【００５２】
これにより、ユーザによって、ドロワ５０を後側から簡単に引き出すことが可能となっている。なお、この構造では、ドロワ５０を前側から引き出すことができないので、ドロワ５０の前側に設ける取手部（符号略）やフロントカバー１３は適宜省略してもよい。
【００５３】
また、この構造におけるドロワ５０は、前後方向に延びるとともに前端部が前斜め下方に延びる図示せぬレールによって支持されている。これにより、ドロワ５０を図５に示す収容位置から引き出す際には、図６および図７に示すように、各感光ドラム５１がエンドレスベルト６３から離れた後で、ドロワ５０を後側に引き出すことが可能となっている。
【００５４】
また、この構造では、エンドレスベルト６３から離れるように上昇するドロワ５０と、定着装置８０とが干渉しないように、定着装置８０が上下に揺動可能となっている。なお、定着装置８０の揺動は、ユーザによって手動で行ってもよいし、例えばリアカバー１５の開放に連動して定着装置８０を上方に退避させる連動機構を設けることで自動で行ってもよい。
【００５５】
また、この構造では、図７に示すように、クリーニングユニット７０は、ドロワ５０に着脱可能に支持されている。これにより、クリーニングユニットがドロワに固定される構造に比べ、クリーニングユニットを交換する際にドロワごと交換する必要がなくなり、クリーニングユニットの交換作業を容易にすることが可能となっている。
【００５６】
前記実施形態では、感光体として感光ドラム５１を採用したが、本発明はこれに限定されず、例えばベルト状の感光体を採用してもよい。
【００５７】
前記実施形態では、第１ローラを駆動ローラ６１とし、第２ローラを従動ローラ６２としたが、本発明はこれに限定されず、第１ローラを従動ローラとし、第２ローラを駆動ローラとしてもよい。
【００５８】
前記実施形態では、１次転写部材や２次転写部材として転写ローラを例示したが、本発明はこれに限定されず、転写部材は、導電性ブラシや導電性板バネなど、転写バイアスが印加されるものであればよい。また、第１クリーニング部材や第２クリーニング部材も同様に、クリーニングローラ７１，７４に限定されず、導電性ブラシや導電性板バネなど、回収バイアスが印加されるものであればよい。
【００５９】
前記実施形態では、被転写媒体の一例として、厚紙、はがき、薄紙などの用紙Ｓを採用したが、本発明はこれに限定されず、例えばＯＨＰシートであってもよい。
【００６０】
前記実施形態では、カラープリンタ１に本発明を適用したが、本発明はこれに限定されず、その他の画像形成装置、例えば複写機や複合機などに本発明を適用してもよい。
【符号の説明】
【００６１】
１      カラープリンタ
１０    装置本体
５１    感光ドラム
６１    駆動ローラ
６２    従動ローラ
６３    エンドレスベルト
６４    １次転写ローラ
６５    ２次転写ローラ
７０    クリーニングユニット
【図１】
0005834626.tif 000002
【図２】
0005834626.tif 000003
【図３】
0005834626.tif 000004
【図４】
0005834626.tif 000005
【図５】
0005834626.tif 000006
【図６】
0005834626.tif 000007
【図７】
0005834626.tif 000008